(57)【要約】【課題】本発明の人工漁礁並びに堰堤・ダム工法に使用される当該人工漁礁は、魚道として使用され、用水路、溝、側溝等又は河川若しくは海中に設置されるものであり、当該用水路等に適切な形状で、魚類が滞留し易く魚類の隠れ場となる空間を持ったもので、製作も容易で施工性の良い形状である等を課題とする。【解決手段】本発明の人工漁礁並びに堰堤・ダム工法等に使用される当該人工漁礁は、用水路、溝、側溝等又は河川若しくは海中に設置され、複数の乱型多角材１ａ、１ｂ、１ｃ、・・・、１ｎを積重ねて、該複数の乱型多角材に穿設された孔１ａ１、１ａ２、・・・に棒材２ａ、２ｂを挿入して、該棒材の両端を固定部材３ａ、３ｂで固定することによって、該複数の乱型多角材を固定したことを特徴とするものである。また、前記複数の乱型多角材には、安山岩系の鉄平石若しくは変成岩とし、種々の大中小の凹凸のある平形に破砕したものを使用している。【選択図】図１
2004089001.tif 000002
【特許請求の範囲】
【請求項１】
魚道として使用される用水路、溝、側溝等又は河川若しくは海中に設置される人工漁礁において、複数の乱型多角材を積重ねて、該複数の乱型多角材にそれぞれ穿設された孔に棒材を挿入して、該棒材の両端を固定部材で固定することによって、該複数の乱型多角材を固定したことを特徴とする人工漁礁。
【請求項２】
魚道として使用される用水路、溝、側溝等又は河川若しくは海中に設置される人工漁礁において、複数の乱型多角材を積重ねて、該複数の乱型多角材にそれぞれ穿設された孔に紐材を挿入して、該紐材の両端を結束することによって、該複数の乱型多角材を固定したことを特徴とする人工漁礁。
【請求項３】
請求項１〜２記載の人工漁礁であって、前記複数の乱型多角材は自然石としたことを特徴とする人工漁礁。
【請求項４】
請求項１〜２記載の人工漁礁であって、前記複数の乱型多角材はそれぞれ凹凸のある平形で、かつ種々の大中小の組合せとしたことを特徴とする人工漁礁。
【請求項５】
請求項１〜４記載の人工漁礁であって、前記複数の乱型多角材は、それぞれ安山岩系の鉄平石とし、該鉄平石を種々の大中小の凹凸のある平形に破砕したものを使用し、棒材若しくは紐材は、２個としたことを特徴とする人工漁礁。
【請求項６】
請求項１〜５記載の人工漁礁であって、
前記複数の乱型多角材は、凹凸のある平形で、かつ該平形の表面に適宜に設けられた魚道用孔若しくは該平形の側面に切り欠きを設けた乱型多角材を適宜の個数若しくは全てに使用したこと、
を特徴とする人工漁礁。
【請求項７】
請求項６記載の人工漁礁であって、
前記複数の乱型多角材は、それぞれ凹凸のある平形で、かつ種々の大中小の組合せとしたものとし、該複数の乱型多角材のうち、大に属する複数の乱型多角材には、平形の表面に適宜に設けられた魚道用孔若しくは該平形の側面に切り欠きを設けたこと、
を特徴とする人工漁礁。
【請求項８】
請求項１〜７記載の人工漁礁であって、
前記複数の乱型多角材には２個の紐材用の孔が穿設されており、
前記紐材は、積重ねられた前記複数の乱型多角材の一方端に位置する乱型多角材に穿設された紐材用の孔に挿通し、順次積重ねられた乱型多角材の紐材用の孔に挿通し、他端の乱型多角材の紐材用の孔に挿通した後、該紐材をＵ形に曲げて、該他端の乱型多角材の他方の紐材用の孔に挿通し、順次積重ねられた乱型多角材の他方の紐材用の孔に挿通し、前記一方端に位置する乱型多角材の紐材用の孔に挿通した後、該紐材の両端を結束したこと、
を特徴とする人工漁礁。
【請求項９】
請求項１〜８記載の人工漁礁であって、
前記複数の乱型多角材は、それぞれ安山岩系の鉄平石若しくは変成岩とし、該鉄平石若しくは変成岩を種々の大中小の凹凸のある平形に破砕したものを使用したこと、
を特徴とする人工漁礁。
【請求項１０】
請求項１〜９記載の人工漁礁を、堰堤若しくはダムの傾斜面に沿って複数個の該人工漁礁を縦方向に設置して、魚類の遡上する魚道を確保することを特徴とする堰堤若しくはダム工法。
【請求項１１】
請求項１〜９記載の人工漁礁を、河川の河底を掘削若しくは浚渫後、該河底に沿って複数個の該人工漁礁を敷設して、河川の河床としたことを特徴とする河床工法。
【請求項１２】
請求項１〜９記載の人工漁礁を、河川のダム若しくは堰堤の下流側の水流の落下位置の河底を掘削若しくは浚渫後、該河底に複数個の該人工漁礁を敷設して、水流の落下位置の河床としたことを特徴とする河床工法。
【請求項１３】
請求項１〜９記載の人工漁礁を、堰堤若しくはダムの取水口の傾斜面に沿って複数個の該人工漁礁を縦方向に設置して、魚類の遡上する魚道を確保することを特徴とする堰堤若しくはダムの取水口工法。
【請求項１４】
請求項１〜９記載の人工漁礁を、河川の側壁を掘削後、該河川側壁に沿って複数個の該人工漁礁を敷設して、河川の側壁としたことを特徴とする河川側壁工法。
【発明の詳細な説明】
【０００１】
【発明の属する技術分野】
本発明は、魚道として使用される用水路、溝、側溝等又は河川若しくは海中に設置される人工漁礁に関する。特に、自然石の残材、廃材等を利用した人口漁礁の改良に関する。
【０００２】
【従来の技術】
従来から、魚道として使用される用水路等に自然石、砂利等を敷くなどして漁礁としていた。また、公開特許公報の特開２００２−１１５２４３に記載の発明は、複数の隔壁を設けた可動式の水路設備であり、ダムや堰に設置されるものである。当該水路設備は、湛水池の水位変動に応じて、魚類の遡上が可能なように可動式としたものである。また、当該公開特許公報の発明前は、一般的に、ダムや堰の魚道設備としては、階段式魚道水路設備であった。
【０００３】
また、人工漁礁としては、公開特許公報の特開２００２−１２５５１４に見られるように、複数本の使用済みのプレストレストコンクリート製枕木を四角形の井桁状に互いに交叉させた枠組みを海底に設置した漁礁がある。当該発明は、別途の資源を必要とせず、かつ低コストの人工漁礁を提供するものである。また、各枕木の空間や各枠組みの隙間に石材を投入して、自然の環境に近いものとし、魚類が滞留し易いようにしたものである。
【０００４】
尚、プレストレストコンクリートとは、予め応力を与えられたコンクリートであって、コンクリートの中にコンクリート以外の部材を埋め込んだものである。この部材には、一般にＰＣ鋼線又はＰＣ綱より線と称されているものが使用されている。すなわち、プレストレストコンクリートは、ＰＣ鋼線又はＰＣ綱より線を引っ張って張力を与えた後コンクリートを固定するので、引っ張られたＰＣ鋼線又はＰＣ綱より線は元に戻ろうとしてコンクリートに圧縮力を与えることができる。従って、プレストレストコンクリートは圧縮に強いが引っ張りに弱いコンクリートの弱点を克服することができる。
【０００５】
また、公開特許公報の特開２００２―１２５５１３には、互いに対向させて配置した矩形状の２個の枠部材で、複数本の使用済みのコンクリートポールを水平かつ同一方向に向けて支持し、水平方向に開口した四角形の筒状の輪郭を形成するように配列した人工漁礁がある。当該発明は、別途の資源を必要とせず、かつ低コストの人工漁礁を提供するものである。また、使用済みのコンクリートポールの廃棄処理に伴うコストや環境への影響を軽減したものである。
【０００６】
また、特開２００２−１０１７８５には、金網製籠体内に、重石としての重量部材と廃棄対象物としての貝殻を収納した人工漁礁がある。当該発明の廃棄対象物としての貝殻には、魚類の隠れ場になる海藻が付着・生息し易く、そして、貝殻という廃棄対象物を利用しているため、製作費も安価にしたものである。
【０００７】
また、特開２０００−２８７５７９には、石材をベースとして、古タイヤをピラミッド型に鉄骨で組み上げた人口漁礁がある。当該発明は、海流による波の力の分散化を図り、かつ古タイヤの浮力に対し、沈下力を与えるものであり、当該発明の人工漁礁内においてプランクトンである微生物から貝類、海藻類、そして小魚、中魚を一単位とした海中生態系を至るところで確立できるように、産業廃棄物である石材や古タイヤを利用して人工漁礁とし、該人工漁礁に適度な空間を創り出したものである。
【０００８】
【発明が解決しようとする課題】
しかし、特開２００２−１１５２４３の魚道水路に設けられた複数の隔壁では、単なる壁を水路に複数個設けただけであり、魚類が滞留し易く安心して寄り付けるような隠れ場所としての人工漁礁としては不適当である。
【０００９】
また、特開２００２−１２５５１４の使用済みのプレストレストコンクリート製枕木を四角形の井桁状に組み込んだ人工漁礁は、海底には適切であっても、用水路等には、形状及び大きさ共に不適当であり、用水路等に生息する魚類が安心して寄り付いてくれる人工漁礁としては不適当である。
【００１０】
また、特開２００２―１２５５１３の使用済みのコンクリートポールを四角形の筒状の輪郭を形成するように配列した人工漁礁では、海底には適切であっても、用水路等には、前記特開２００２−１２５５１４と同様に、形状及び大きさ共に不適当であり、用水路等に生息する魚類が安心して寄り付いてくれる人工漁礁としては不適当である。
【００１１】
また、特開２００２−１０１７８５の金網製籠体内に重量部材と廃棄対象物とを収納した人工漁礁では、海底には適切であっても、用水路等には、前記特開２００２−１２５５１４及び特開２００２−１２５５１３と同様に、形状及び大きさ共に不適当であり、用水路等に生息する魚類が安心して寄り付いてくれる人工漁礁としては不適当である。
【００１２】
また、特開２０００−２８７５７９の古タイヤをピラミッド型に鉄骨で組み上げた人口漁礁では、形状がピラミッド形状であり、しかも大きさも大きく不適当であり、用水路等に生息する魚類が安心して寄り付いてくれる用水路等の人工漁礁としては不適当である。
【００１３】
従って、本発明の人工漁礁は、魚道として使用される用水路、溝、側溝等又は河川若しくは海中に設置される人工漁礁であって、魚類が十分に住みつき易い空間をもったものを提供することを目的とする。
【００１４】
すなわち、本発明の人工漁礁は、魚道として使用される用水路である溝・側溝又は河川若しくは海中に設置されるものであり、これらの用水路等に適切な形状であって、魚類が滞留し易く魚類の隠れ場となるように棲家として十分に住み付き易い空間を持ったもので、製作も容易であり、用水路等に設置するとき施工性の良い形状であり、用水路等の水流の速さを適宜の速さに抑えることができ、しかも水流によどみがないような形状としたものを提供することである。しかも、素材としては自然素材を選択することにより環境に優しいものを提供することを目的とする。
【００１５】
また、本発明の人工漁礁は、魚類が河川に設置された堰堤・ダムを遡上できるようにし、更に、河川の河床としても使用でき、特にダム・堰堤の下流側、すなわち堰堤・ダムの水流の落下位置の河床としても有効に使用できるものを提供することを目的とする。
【００１６】
また、本発明の人工漁礁を使用して、堰堤若しくはダムに魚道を確保する堰堤・ダム工法、河川の河床に敷設する河床工法、堰堤・ダムの取水口工法及び河川側壁工法を提供することを目的とする。
【００１７】
【課題を解決するための手段】
上記目的を達成するために、本発明の人工漁礁においては、下記のような手段を取った。
【００１８】
請求項１記載の本発明は、魚道として使用される用水路、溝、側溝等又は河川若しくは海中に設置される人工漁礁において、複数の乱型多角材を積重ねて、該複数の乱型多角材にそれぞれ穿設された孔に棒材を挿入して、該棒材の両端を固定部材で固定することによって、該複数の乱型多角材を固定したことを特徴とする人工漁礁である。尚、前記乱型多角材とは、形を限定されない多角形で、表面は平滑であることを限定するものでは無く、凹凸があっても良い。
【００１９】
これは、複数の乱型多角材を使用することにより、多数の魚類の棲家としての空間を提供することができる。しかも、該複数の乱型多角材を積重ねたものを棒材で固定するだけの簡単なものであり、工場で製作できるので、大量生産にも容易に対応でき、しかも運搬にも便利でかさばらないものである。また、棒材と固定部材との固定方法には、ボルトナット方式、割ピン方式等の多様な方法が採用できるので、製作方法を限定せず、種々な方法をとることができる。
【００２０】
請求項２記載の本発明は、魚道として使用される用水路、溝、側溝等又は河川若しくは海中に設置される人工漁礁において、複数の乱型多角材を積重ねて、該複数の乱型多角材にそれぞれ穿設された孔に紐材を挿入して、該紐材の両端を結束することによって、該複数の乱型多角材を固定したことを特徴とする人工漁礁である。
【００２１】
これは、前記乱型多角材の孔に簡便な紐材を通して該紐材を結束して固定することにより製作するので、より製作しやすいものとなった。当該紐材としては、綿・麻等の天然繊維の紐、鋼線の撚り線、又は、開発が進められている生分解性プラスチックの紐が適切である。いずれの材料も環境に配慮した素材である。
【００２２】
尚、生分解性プラスチックとは、使用中に通常のプラスチックと同程度の機能を保ちながら、使用後は自然界に存在する微生物の働きによって低分子化合物に分解され、最終的に炭酸ガスや水などの無機物に分解される高分子素材と定義されているものであり、現在開発が進められている。
【００２３】
請求項３記載の本発明は、請求項１〜２記載の人工漁礁であって、前記複数の乱型多角材は自然石としたことを特徴とする人工漁礁である。
【００２４】
これは、前記複数の乱型多角材を自然石とすることにより、環境に配慮した素材を選択したものである。用水路、溝、側溝、河川等に使用するので、環境に配慮した素材の選択が重要である。尚、当該自然石は、残材、廃材の使用が可能である。むしろ、環境に配慮することが社会的な要請であり、これらの残材、廃材を積極的に使用することが良い。
【００２５】
請求項４記載の本発明は、請求項１〜２記載の人工漁礁であって、前記複数の乱型多角材はそれぞれ凹凸のある平形で、かつ種々の大中小の組合せとしたことを特徴とする人工漁礁である。
【００２６】
これは、前記複数の乱型多角材をそれぞれ凹凸のある平形で、かつ種々の大中小の組合せとし、当該乱型多角材を積重ねる構成としたことにより、魚類の棲家である空間を作りやすいようにしたものである。これらの多数の空間により、魚類は、水流の流れに逆らわずに、ゆっくりと休息も取れるし、外敵からの危険も避けることができる。
【００２７】
請求項５記載の本発明は、請求項１〜４記載の人工漁礁であって、前記複数の乱型多角材は、それぞれ安山岩系の鉄平石とし、該鉄平石を種々の大中小の凹凸のある平形に破砕したものを使用し、棒材若しくは紐材は、２個としたことを特徴とする人工漁礁である。
【００２８】
これは、前記複数の乱型多角材に安山岩系の鉄平石を使用すると、当該安山岩系の鉄平石は、飛石として使用されているように、平形に破砕し易いので、乱型多角材を製作するのに容易な素材である。よって、本発明の人工漁礁の製作に適切な素材であり、全体として製作も容易となるものである。
【００２９】
請求項６記載の本発明は、請求項１〜５記載の人工漁礁であって、前記複数の乱型多角材は、凹凸のある平形で、かつ該平形の表面に適宜に設けられた魚道用孔若しくは該平形の側面に切り欠きを設けた乱型多角材を適宜の個数若しくは全てに使用したこと、を特徴とする人工漁礁である。
【００３０】
これは、前記複数の乱型多角材の適宜の個数若しくは全てに魚道用孔若しくは切り欠きを設けることにより、当該発明の人工漁礁に魚道を確保することができる。換言すれば、当該複数の乱型多角材の全てに魚道用孔若しくは切り欠きを設ける必要はなく、適宜数の乱型多角材に設けることでもよい。なぜならば、当該複数の乱型多角材は、形状が一定しているものではないので、魚道としての道筋若しくは隙間等があるので、適宜数の乱型多角材に魚道用孔若しくは切り欠きを設けることでよい。また、１個の乱型多角材に魚道用孔及び切り欠きを同時に設けてもよく、いずれか一方を設けても良い。なお、魚道用孔を複数個設けても良い。勿論、魚道用の切り欠きを複数個所設けても良い。
【００３１】
なお、本発明による人工漁礁は、石積みの堰堤若しくはダムに縦方向に設置すると、魚道としての効果がある。魚類は、この人工漁礁に設けられた魚道用孔若しくは切り欠きを魚道として使用するので、魚類は河川の堰堤若しくはダムを遡上していくことができる。
【００３２】
請求項７記載の本発明は、請求項６記載の人工漁礁であって、前記複数の乱型多角材は、それぞれ凹凸のある平形で、かつ種々の大中小の組合せとしたものとし、該複数の乱型多角材のうち、大に属する複数の乱型多角材には、平形の表面に適宜に設けられた魚道用孔若しくは該平形の側面に切り欠きを設けたこと、を特徴とする人工漁礁である。
【００３３】
これは、前記複数の乱型多角材の大に属する複数の乱型多角材に、魚道用孔若しくは切り欠きを設けることにより、当該発明の人工漁礁に魚道を確保することができる。また、当該大に属する複数の乱型多角材に魚道用孔若しくは切り欠きを設けたので、大の乱型多角材には、魚道が確保されるのは、当然であるが、中及び小の乱型多角材には、魚道用孔若しくは切り欠きがなくても、大の乱型多角材との大きさの段差及び側面の凹凸等で、魚道が確保されている。従って、複数の乱型多角材の全てについて魚道が確保されているので、魚道として適切なものとなる。なお、大に属する乱型多角材に魚道用孔若しくは切り欠きを設けたが、中及び小の乱型多角材にも魚道用孔若しくは切り欠きを設けても良い。更に、１個の大に属する乱型多角材に魚道用孔及び切り欠きを同時に設けてもよく、いずれか一方を設けても良い。なお、魚道用孔を複数個設けてもよい。勿論、魚道用の切り欠きを複数個所設けても良い。
【００３４】
請求項８記載の本発明は、請求項１〜７記載の人工漁礁であって、前記複数の乱型多角材には２個の紐材用の孔が穿設されており、前記紐材は、積重ねられた前記複数の乱型多角材の一方端に位置する乱型多角材に穿設された紐材用の孔に挿通し、順次積重ねられた乱型多角材の紐材用の孔に挿通し、他端の乱型多角材の紐材用の孔に挿通した後、該紐材をＵ形に曲げて、該他端の乱型多角材の他方の紐材用の孔に挿通し、順次積重ねられた乱型多角材の他方の紐材用の孔に挿通し、前記一方端に位置する乱型多角材の紐材用の孔に挿通した後、該紐材の両端を結束したこと、を特徴とする人工漁礁である。
【００３５】
これは、１本の紐材を使用することにより、容易に複数の乱型多角材を積重ねることができ、しかも結束時には、堅く結束してもよく、緩く結束しても良い。堅く結束した場合は、用水路、溝、側溝等に水流に沿って設置したときなど、魚道を確保し易い。なぜならば、複数の乱型多角材は、しっかりと固定されているので、各乱型多角材がお互いにずれてしまうことも無く、魚道を確保し易い。一方、緩く結束したときは、河川の河床等に敷設したときに、しっかりと、河床に固定され易い利点がある。
【００３６】
請求項９記載の本発明は、請求項１〜８記載の人工漁礁であって、前記複数の乱型多角材は、それぞれ安山岩系の鉄平石若しくは変成岩とし、該鉄平石若しくは変成岩を種々の大中小の凹凸のある平形に破砕したものを使用したこと、を特徴とする人工漁礁である。
【００３７】
これは、本発明の乱型多角材に、平形に成型し易い石材として、鉄平石若しくは変成岩を使用したことにより、製作し易い人工漁礁となるものである。
【００３８】
さらに、請求項１〜９記載の本発明は、堰堤・ダムに設置すると、魚類が河川に設置された堰堤・ダムを遡上できるようになり、また、河川の河床としても使用でき、特にダム・堰堤の下流側、すなわちダム・堰堤の水流の落下位置の河床としても有効に使用できるものである。
【００３９】
すなわち、本発明による人工漁礁は、石積みの堰堤もしくはダムの斜面に縦方向に設置すると、魚類の魚道として使用できるので、魚類が遡上することができる。特に、魚道用孔若しくは切り欠きを設けた複数の乱型多角材を積重ねた人工漁礁では、その効果が大きい。また、ダムの取水口は通常は取水しないときには、放水しているが、この取水口のダムの斜面に人工漁礁を縦方向に設置すると、前記同様に、魚類の魚道として使用できるので、魚類が遡上することができる。
【００４０】
また、通常の河川の河床は、用水路、溝、側溝等又は河川の川底を掘削若しくは浚渫して、砂利・小石、廃材のコンクリートブロック等を敷き詰めて生コンクリートを流し込んで固めて河床としているか、またはコンクリート製の河床（すなわち、生コンクリートを流し込んで敷き詰めた河床）としているが、その設置作業に工数及びコストが掛かっている。しかし、本発明の人工漁礁を掘削若しくは浚渫した河底に敷き詰めれば、河床とすることができ、河川が洗われない効果もある。また、水量が少ないときに、曝気してやれば浄化されるので問題ない。また、コンクリートによる灰汁も発生せず、水の浄化にも効果がある。特にダム・堰堤の下流側、すなわちダム・堰堤の水流の落下位置の河床として使用すると効果がある。
【００４１】
請求項１０記載の本発明は、請求項１〜９記載の人工漁礁を、堰堤若しくはダムの傾斜面に沿って複数個の該人工漁礁を縦方向に設置して、魚類の遡上する魚道を確保することを特徴とする堰堤若しくはダム工法である。
【００４２】
これは、魚類が河川を遡上する際に、堰堤若しくはダムで遡上を阻まれないように、堰堤若しくはダムの傾斜面に沿って複数個の前記人工漁礁を縦方向に設置する堰堤若しくはダムの工法である。当該工法による堰堤若しくはダムは、前記複数個の人工漁礁によって、魚道を確保することができるので、魚類が河川を遡上することができる。
【００４３】
請求項１１記載の本発明は、請求項１〜９記載の人工漁礁を、河川の河底を掘削若しくは浚渫後、該河底に沿って複数個の該人工漁礁を敷設して、河川の河床としたことを特徴とする河床工法である。
【００４４】
従来、河川の河床工法においては、河川の河底を掘削若しくは浚渫後、小石・砂利等を敷設し、生コンクリートで埋める等の工法であったが、本発明の河床工法は、河川の川底を掘削若しくは浚渫後、直ちに複数個の前記人工漁礁を敷設する工法である。当該河床工法により、工数及びコストの削減に寄与することができる。
【００４５】
請求項１２記載の本発明は、請求項１〜９記載の人工漁礁を、河川のダム若しくは堰堤の下流側の水流の落下位置の河底を掘削若しくは浚渫後、該河底に複数個の該人工漁礁を敷設して、水流の落下位置の河床としたことを特徴とする河床工法である。
【００４６】
従来、、河川のダム若しくは堰堤の下流側の水流の落下位置の河床工法においては、水流の落下位置の河底を掘削若しくは浚渫後、小石・砂利等を敷設し、生コンクリートで埋める等の工法であったが、本発明の河床工法は、水流の落下位置の河底を掘削若しくは浚渫後、直ちに複数個の前記人工漁礁を敷設する工法である。当該河床工法により、工数及びコストの削減に寄与することができる。
【００４７】
請求項１３記載の本発明は、請求項１〜９記載の人工漁礁を、堰堤若しくはダムの取水口の傾斜面に沿って複数個の該人工漁礁を縦方向に設置して、魚類の遡上する魚道を確保することを特徴とする堰堤若しくはダムの取水口工法である。
【００４８】
これは、魚類が河川を遡上する際に、堰堤若しくはダムで遡上を阻まれないように、堰堤若しくはダムの取水口の傾斜面に沿って複数個の前記人工漁礁を縦方向に設置する堰堤若しくはダムの取水口工法である。当該工法による堰堤若しくはダムは、当該取水口に設置された前記複数個の人工漁礁によって、魚道を確保することができるので、魚類が河川を遡上することができる。
【００４９】
請求項１４記載の本発明は、請求項１〜９記載の人工漁礁を、河川の側壁を掘削後、該河川側壁に沿って複数個の該人工漁礁を敷設して、河川の側壁としたことを特徴とする河川側壁工法である。
【００５０】
従来、河川側壁工法においては、河川の側壁を掘削後、小石・砂利等を敷設し、生コンクリートで埋める等の工法であったが、本発明の河川側壁工法は、河川の側壁を掘削後、直ちに複数個の前記人工漁礁を敷設する工法である。当該河川側壁工法により、工数及びコストの削減に寄与することができる。また、河川側壁に蛇籠（河川の護岸に用いる円筒形に編んだかごに石を詰めたもの）を敷設する工法もあるが、本発明の河川側壁工法は、この蛇籠に替わって人工漁礁を使用した工法である。このように、蛇籠に替わって人工漁礁を使用することにより、工数及びコストの削減に寄与することができる。
【００５１】
【発明の実施の形態】
以下に、本発明の実施の形態を図面にもとづいて説明する。
【００５２】
図１は、本発明による人工漁礁の斜視図である。図２は、本発明による人工漁礁に用いられる乱型多角材の斜視図である。図３は、本発明による人工漁礁を用水路に使用したときの実施例を説明する斜視図である。図４は、本発明による複数の人工漁礁を用水路に使用したときの実施例を説明する斜視図である。図５は、他の実施例の人工漁礁である。図６は、人工漁礁に使用される他の実施例における棒材と鍔付きボルトを説明する斜視図である。
【００５３】
更に、図７は、本発明による人工漁礁に用いられる乱型多角材の他の実施例の斜視図である。図８は、第三の実施例の人工漁礁である。図９は、本発明による人工漁礁を堰堤及び堰堤の下流の河床に使用したときの概略図である。図１０は、本発明による人工漁礁を河川の河床に使用したときの概略図である。図１１は、本発明による人工漁礁をダムの魚道及びダムの下流の河床に使用したときの概略図である。
【００５４】
本発明による人工漁礁について説明する。
図１に示すように、乱型多角材１ａ、１ｂ、１ｃ、・・・、１ｎを積重ねて、該乱型多角材１ａ、１ｂ、・・・、１ｎに穿設された孔１ａ１、１ａ２、・・・に棒材２ａ、２ｂを挿入し、該棒材２ａ、２ｂの両端を固定部材３ａ、３ｂにより固定して、人工漁礁Ｇとなる。また、固定方法としては、棒材２ａ、２ｂの両端部に雄ネジを設け、固定部材３ａ、３ｂを雌ネジのナットとすると良い。また、該棒材２ａ、２ｂの両端部の雄ネジは、雌ネジであってもよい。この場合は、固定部材３ａ、３ｂのナットに代わりに六角ボルト等の鍔付きボルトを使用すると良い。詳細は、後記する。尚、固定部材３ａ、３ｂのナット若しくは六角ボルトの外径は、当然ながら乱型多角材１ａ、１ｂ、１ｃ、・・・、１ｎが棒材より抜け出ない大きさが必要である。また、固定部材３ａ、３ｂとして、割ピン等を使用しても良い。この場合は、棒材に割ピン用の孔を穿設する必要がある。また、棒材は丸棒に限定するものではなく、四角形、六角形等の多角形状であっても良い。尚、図１は、主として乱型多角材１ａ側について図示しているが、乱型多角材１ｎ側も同様であるので省略する。
【００５５】
また、乱型多角材１ａ、１ｂ、１ｃ、・・・、１ｎのお互いの空間５ａ、５ｂ、５ｃ、・・・、５ｍは、魚類の棲家として最適である。すなわち、魚類が滞留し易く魚類の隠れ場となるように棲家として十分に住み付き易い空間５ａ、５ｂ、５ｃ、・・・、５ｍを持つことができる。また、該空間５ａ、５ｂ、５ｃ、・・・、５ｍは、用水路等の水流の速さを適宜の速さに抑えることができ、しかも水流によどみがないようにすることができる。
【００５６】
また、当然のことながら棒材２ａ、２ｂは、いずれか一本の棒材でも良い。棒材２ａ、２ｂを二本に限定するものではない。一本若しくは複数の棒材で良い。但し、一本の棒材２ａとすると、乱型多角材１ａ、１ｂ、１ｃ、・・・、１ｎを固定することが若干難しくなることもあるが、人工漁礁Ｇとしての機能に支障をきたすことは無い。また、該乱型多角材１ａ、１ｂ、１ｃ、・・・、１ｎは、凹凸のある平面であるので、お互いの凹凸の組合せのなかで固定される場合もある。以上のことを考慮すると、望ましくは、棒材は二本が良い。
【００５７】
また、棒材２ａ、２ｂ及び固定部材３ａ、３ｂは、鋼材、アルミ材等の金属材料を選択すると良い。環境問題のある合成樹脂系の素材は避けることが望ましい。
【００５８】
また、乱型多角材１ａ、１ｂ、１ｃ、・・・、１ｎは、平型の形状であるが、この平型は表面及び裏面共に凹凸のあるものであり特別な形状をもたないものである。そして、水中に沈めるために、比重１以下の重量物であれば良い。例えば、凹凸の墓石、飛石、建築用石材、道路舗装用石材等に用いられる石材及びその残材、廃材等を利用すると良い。尚、乱型多角材は、自然石の石材に限定するものでは無く、人工石、コンクリート材等でも良く、それらの残材でも良い。あらゆる素材が適用できるが、用水路、河川、海底等に使用するものであるので、環境に優しい素材を適宜選択することが良い。
【００５９】
また、自然石の石材の比重は、石材の種類にもよるが、例えば、安山岩では、約２．５〜２．８程度であり、用水路・河川等の人工漁礁としては、流速にも流されず、適材である。しかし、石材の種類を限定するものではない。例えば、花崗岩では、比重２．６〜２．７程度であり、凝灰岩では比重２．３〜２．８程度である。また、これらの石材は自然石であり、比重が一定しているものではなく、産地等により相違がある。また、本発明の人工漁礁Ｇに対しては、比重２．５〜３．０程度を選択すれば良いと思われる。しかし、比重を限定するものでも無い。適宜、使用する場所に応じた流速等を勘案して適宜選択すればよい。おおむね、比重２．５〜３．０程度が目安と考えられる。
【００６０】
また、前記複数の乱型多角材１ａ、１ｂ、１ｃ、・・・、１ｎの素材は、飛石に使用されている安山岩系の鉄平石とし、該鉄平石を種々の大中小の凹凸のある平形に破砕したものを使用すると良い。また、乱型多角材を積重ねるときは、大中小の順番に限定するものではない。大小大中・・・、大小中小大・・・、等種々の組み合せが考えられるが、特に限定するものではない。
【００６１】
次に、図２により、乱型多角材の詳細について説明する。乱型多角材１は、素材を平面状に破断・切削等されたものである。但し、平滑である必要は無い。該乱型多角材１の表面１１ｃ及び裏面１１ｄ共に凹凸があることが望ましい。また、該乱型多角材１の側面１１ｅに凹凸があっても良い。それらの凹凸は、魚類の隠れ場所としての空間を容易に作ることができるので、漁礁の基本的な機能である魚類の棲家を成す為には必要な形状である。
【００６２】
また、乱型多角材１は、飛石に使用されている安山岩の一種である鉄平石を使用すると、薄型に剥離し易いので、乱型多角材１を製作するのに便利である。更に、人工漁礁Ｇは、工場で組立てができるので、該人工漁礁Ｇを準備して、設置場所へ運んで、用水路等に設置すれば良い。このように施工性に優れた人工漁礁を提供することができる。
【００６３】
次に、図３により、本発明による人工漁礁を用水路に使用したときの実施例について説明する。本発明の人工漁礁Ｇを用水路Ｙの溝底Ｙａに設置したものである。当然のことながら、該人工漁礁Ｇの外形の大きさは、該用水路Ｙの幅及び深さより、小さいものであり、該溝底Ｙａに設置するのに何等不具合のない大きさである。用水路Ｙの中を泳いでいる魚類Ｓは、該人工漁礁Ｇと用水路Ｙとの隙間を通って自由に泳ぎまわることができる。また、人工漁礁Ｇの空間で遊んだり、休息したりして楽しむこともできる。また、人工漁礁Ｇの空間に住み着くこともできる。人工漁礁Ｇは、その乱型多角材１ａ、１ｂ、１ｃ、・・・、１ｎの重ね合わせの中で、様々な空間を提供しているので、魚類Ｓの遊び場所、休息場所を提供していることになる。
【００６４】
尚、図３では、人工漁礁Ｇの設置場所をコンクリート製の用水路Ｙを想定しているが、コンクリート製の用水路Ｙに限定するものではなく、土地を掘削した溝、側溝等でも良い、また、河川と称される大小さまざまな大きさの河川でも良い。夫々の溝幅に合ったものを選択すればよい。また、人工漁礁Ｇには、隙間、空間があり、魚の住み着き易い場所を提供しているので、人工漁礁Ｇを設置することができるところならば、設置場所の選定に条件はない。場合によっては、海中でも良い。いずれにしろ、人工漁礁Ｇの乱型多角材１ａ、１ｂ、１ｃ、・・・、１ｎの素材は自然石の石材等の環境に安全なものを選択すると良い。
【００６５】
また、用水路Ｙ等の溝底Ｙａに砂利Ｙｂ、小石Ｙｃ等を撒き、その上に人工漁礁Ｇを設置しても良い。尚、用水路Ｙの清掃時には、人工漁礁Ｇを用水路Ｙから、一旦引上げてから清掃作業することもできるので、取り扱いに便利な人工漁礁Ｇとなる。
【００６６】
次に、図４により、複数の人工漁礁を使用した場合について説明する。図１と同様に、用水路Ｙに人工漁礁Ｇ１、Ｇ２、Ｇ３を設置する。夫々の人工漁礁Ｇ１、Ｇ２、Ｇ３の間隔は、用水路Ｙ、人工漁礁Ｇ１、Ｇ２、Ｇ３の大きさ、魚類Ｓの生態等に応じて、適宜定めれば良い。また、図４では、人工漁礁は、３個設置した場合を示しているが、３個に限定するものではない。用水路Ｙに応じて適宜定めれば良い。また、図４では、コンクリート製の用水路Ｙを想定しているが、土地を掘削した溝、側溝等でも同様に複数個設置できる。当然ながら、河川若しくは海中でも複数個設置することができる。
【００６７】
次に、図５により、人工漁礁の他の実施例について説明する。図１と同様に、乱型多角材１ａ、１ｂ、１ｃ、・・・、１ｎを積重ねて、該乱型多角材１ａ、１ｂ、・・・、１ｎの孔１ａ１、１ａ２、・・・に紐材４ａ、４ｂを挿入し、該紐材４ａ、４ｂの両端を結束４ｃ、４ｄし固定して、人工漁礁ＧＨとなる。尚、当然のことながら紐材４ａ、４ｂは、いずれか一本の紐材でも良い。紐材４ａ、４ｂを二本に限定するものではない。一本若しくは複数の紐材で良い。また、紐材として、鋼線の撚り線が良い。また、綿、麻等の天然繊維を素材とした紐材も適切であり、更に、現在、開発が進められている環境に配慮した生分解性プラスチックを素材とした紐材も適用できる。
【００６８】
また、図６により、棒材の他の固定方法について説明する。図１においては、棒材２ａ、２ｂを固定部材３ａ、３ｂのナットで締結・固定したが、図６は、棒材２ａ１の両端部を雌ネジとしたものである。この場合の締結方法として、鍔付きボルト３ａ１を使用するものである。鍔付きボルト３ａ１の鍔径Ｄ１は、棒２ａ１の軸径Ｄ２よりも大きいことが必要である。当然ながら、乱型多角材１ａ、１ｂ、１ｃ、・・・、１ｎが、棒２ａ１より抜け出さないためである。
【００６９】
また、図７により、乱型多角材の他の実施例について説明する。図７は、図２の乱型多角材に対して魚道用孔若しくは切り欠きを設けたものである。すなわち、図７の乱型多角材１は、凹凸のある平形で、かつ該平形の表面１１ｃに設けられた魚道用孔１２ａ及び該平形の側面１１ｅに切り欠き１３ａを設けたものである。この切り欠き１３ａも、魚道用孔１２ａと同様に、魚道となるものである。これらの魚道用孔１２ａ及び切り欠き１３ａは、いずれか一方を設ける場合もあり、両方を設ける場合もあり、複数の魚道用孔１２ａ又は複数の切り欠き１３ａを設ける場合もある。いずれの場合も魚道を確保するためであり、その魚道用孔１２ａ及び切り欠き１３ａのいずれかを選択するか、若しくは両方を選択するかを限定するものではなく、また、それらの個数を限定するものでもない。
【００７０】
また、これらの魚道用孔１２ａ若しくは切り欠き１３ａを設けた乱型多角材１を複数個準備し、該複数の乱型多角材１ａ、１ｂ、・・・、１ｎを積重ねることによって、図１及び図５に示す人工漁礁Ｇ、ＧＨが組み上がる。このとき、魚道用孔１２ａ若しくは切り欠き１３ａは両方を設ける場合もあり、いずれか一方を設ける場合もある。なお、複数の乱型多角材１ａ、１ｂ、・・・、１ｎのうち一部は、魚道用孔１２ａ若しくは切り欠き１３ａを、いずれも設けない場合もある（図２の乱型多角材を使用する場合）。これらの乱型多角材のいずれを使用するかは、当該人工漁礁Ｇ、ＧＨの設置場所、大きさ等により選択されるものである。
【００７１】
更に、人工漁礁Ｇ、ＧＨに使用されている大中小の乱型多角材１ａ、１ｂ、・・・、１ｎのうち、大に属する乱型多角材に魚道用孔１２ａ若しくは切り欠き１３ａを設ける場合もある。このときは、中小に属する乱型多角材は、大に属する乱型多角材に比較すると、魚道用の隙間を確保することができるので、殊更に、魚道用孔１２ａ若しくは切り欠き１３ａを設ける必要はないのである。しかし、人工漁礁Ｇ、ＧＨの設置場所、大きさ等によっては、大中小の乱型多角材の全てに魚道用孔１２ａ若しくは切り欠き１３ａを設けた方が良い場合もある。
【００７２】
なお、当該切り欠き１３ａの形状は、数学的に一定した形状である必要は無い。種々のＵ形、Ｖ形、角形等が考えられるが、これらの形状も数学的な形状を意味するものではなく、魚道用の切り欠きとして適切であれば良い。当該乱型多角材１を自然石とした場合などは、これらの切り欠き１３ａの表面は、凹凸があり形状が一定しないのは当然であり、魚道用の切り欠きとして使用できるものであれば良い。
【００７３】
また、魚類Ｓは、図９及び図１１に示すように、石積みの堰堤ＤＴ若しくはダムＤを遡上することは難しいが、この魚道用孔１２ａ若しくは切り欠き１３ａを設けた複数の乱型多角材１ａ、１ｂ、・・・、１ｎを使用した人工漁礁Ｇ、ＧＨでは、魚道を確保することができるので、河川の堰堤ＤＴ若しくはダムＤを遡上していくことができる。更に、魚道用孔１２ａ若しくは切り欠き１３ａを大きくすることによって、大きな魚類でも遡上することができる。なお、当該人工漁礁Ｇ、ＧＨの使用は、ダムＤの大きさに限定されるものではなく、大きなダムＤの場合は、図１１に示すように、当該人工漁礁Ｇ、ＧＨを縦方向に積み上げていけばよい。
【００７４】
また、図８により、１本の紐材で複数の乱型多角材を結束したものについて説明する。図８に示す人工漁礁は、図５の２本の紐材４ａ、４ｂで複数の乱型多角材を結束したものに対して、１本の紐材４ｅで結束したものである。すなわち、図８に示す人工漁礁ＧＨは、複数の乱型多角材１ａ、１ｂ、・・・、１ｎに２個の紐材用の孔１ａ１、１ａ２、・・・、１ｎ１、１ｎ２が穿設されており、紐材４ｅは、積重ねられた前記複数の乱型多角材１ａ、１ｂ、・・・、１ｎの一方端の位置する乱型多角材１ａに穿設された紐材用の孔１ａ１に挿通し、順次積重ねられた乱型多角材の紐材用の孔に挿通し、他端の乱型多角材１ｎの紐材用の孔１ｎ１に挿通した後、該紐材４ｅをＵ形に曲げて、他端の乱型多角材１ｎの他方の紐材用の孔１ｎ２に挿通し、順次積重ねられた乱型多角材の他方の紐材用の孔に挿通し、前記一方端に位置する乱型多角材１ａの紐材用の孔１ａ２に挿通した後、該紐材４ｅの両端を結束４ｆして人工漁礁ＧＨとなる。なお、図８の人工漁礁ＧＨは、図２の乱型多角材１を使用しているが、図７の魚道用孔１２ａ若しくは切り欠き１３ａを設けた乱型多角材１を使用しても良い。更には、図２及び図７の乱型多角材の組合せでも良い。当然ながら、図８の人工漁礁ＧＨは、複数の乱型多角材の魚道用孔及び切り欠きの有無を限定するものではない。
【００７５】
また、当該人工漁礁ＧＨは、１本の紐材４ｅを使用することにより、容易に複数の乱型多角材１ａ、１ｂ、・・・、１ｎを積重ねることができ、しかも結束時には、堅く結束４ｆしても良く、緩く結束４ｆしても良い。堅く結束４ｆした場合は、用水路、溝、側溝等に水流に沿って設置したときなど、魚道を確保し易い（図３及び図４参照）。なぜならば、複数の乱型多角材１ａ、１ｂ、・・・、１ｎは、しっかりと固定されているので、お互いにずれてしまうことも無く、魚道を確保し易い。一方、緩く結束４ｆしたときは、河川の河床や河川側壁へ敷設したときに、しっかりと、河床や河川側壁に固定され易い利点がある。
【００７６】
また、図９により、堰堤に本発明による人工漁礁を設置した場合及び河床に設置した場合について説明する。図９は、河川Ｋに自然石を利用して積み上げて作る、いわゆる石積みの堰堤ＤＴである。この石積みの堰堤ＤＴは、魚類Ｓが遡上しにくいとの欠点があるが、本発明の人工漁礁Ｇ、ＧＨとを組み合せて堰堤ＤＴを作ると、該人工漁礁Ｇ、ＧＨの隙間５ａ、５ｂ、・・・、５ｎ（図１及び図８に示す隙間。図５の２本の紐材を使用したときも同様である）、または図７に示した乱型多角材１に設けられた魚道用孔１２ａ若しくは切り欠き１３ａを魚道として魚類Ｓは遡上することができるのである。図９では、人工漁礁Ｇ１、Ｇ２、Ｇ３、Ｇ４の４個と自然石とを組み合せて堰堤ＤＴを作った場合を図示している。なお、当該人工漁礁Ｇ、ＧＨは４個に限定するものではなく、適宜の個数を設定することができる。なお、図９は、堰堤に人工漁礁を設置した場合について説明したが、ダムに設置して場合も同様である。
【００７７】
また、図９に示すように、堰堤ＤＴの下流側に人工漁礁Ｇ５〜Ｇ１０が敷設されている。これは、堰堤ＤＴの水流の落下位置の河床が洗われないよにするためである。通常は、河床の水流による洗われを防ぐために、テトラポッド（商標名。海岸、河川などに使用される円錐状の４本の脚からなるコンクリートブロック。）を使用している。しかし、該テトラポッドは、その形状から水流に流され易い欠点があるが、当該人工漁礁Ｇ、ＧＨは、そのようなことが無い。
【００７８】
なお、通常の河川の河床は、用水路、溝、側溝等又は河川の河底を掘削若しくは浚渫して、砂利・小石、廃材のコンクリートブロック等を敷き詰めて生コンクリートを流し込んで固めて河床としているか、またはコンクリート製の河床（すなわち、生コンクリートを流し込んで敷き詰めた河床）としているが、その設置作業に工数及びコストが掛かっている。しかし、本発明の人工漁礁Ｇ、ＧＨを掘削若しくは浚渫した河底に敷き詰めれば、河床とすることができ、河川が洗われない効果もある。また、水量が少ないときに、曝気（微生物が有機物を分解するのに必要な酸素を供給するために空気を吹き込んだり攪拌したりすること）してやれば浄化されるので問題ない。また、コンクリートによる灰汁も発生せず、水の浄化にも効果があるので魚類Ｓにも良い。特にダム・堰堤の下流側、すなわちダム・堰堤の水流の落下位置の河床として使用すると効果がある。
【００７９】
また、人工漁礁Ｇ１〜Ｇ４を図８に示す人工漁礁ＧＨを使用したときは、その結束４ｆを堅くすると、堰堤ＤＴが崩れない。また、堰堤ＤＴの下流の河床に使用したときには、結束４ｆを緩くすると、河床に固定され易い利点がある。更に、図示していないが、河川側壁ＫＢに人工漁礁Ｇ、ＧＨを敷設しても良い。このときは、いわゆる蛇籠（河川の護岸に用いる円筒形に編んだかごに石を詰めたもの）の役目をなすことになる。
【００８０】
また、図１０により、人工漁礁を河床に敷設したところを外観図により説明する。なお、図１０の左右は断面されている。河川Ｋの水流に対して、人工漁礁Ｇ１、Ｇ２、Ｇ３は、横置きになっているが、縦置きにしても良い。当該河川Ｋは、河川側壁ＫＢと河床ＫＳとからなり、河川の土手・堤には、木ＫＷが植樹され、草ＫＧが生えている。当該河床ＫＳには、小石Ｙｃ、砂利Ｙｂ等が撒かれている。当該河川Ｋには、魚類Ｓが泳いでいる。ところで、一般にこの河川Ｋの河床ＫＳは、河川Ｋの河底を掘削若しくは浚渫して、砂利・小石、廃材のコンクリートブロック等を敷き詰めて生コンクリートを流し込んで固めて河床としているか、またはコンクリート製の河床（すなわち、生コンクリートを流し込んで敷き詰めた河床）としているが、その設置作業に工数及びコストが掛かっている。しかし、図１０に示すように、人工漁礁Ｇ１、Ｇ２、Ｇ３を掘削若しくは浚渫した河底に敷き詰めれば、河床ＫＳとすることができ、河川が洗われない効果もある。また、水量が少ないときに、曝気してやれば浄化されるので問題ない。また、コンクリートによる灰汁も発生せず、水の浄化にも効果がある。このように、河床ＫＳに人工漁礁Ｇ、ＧＨを使用すると、自然環境を破壊することも無く適切である。
【００８１】
また、図８の人工漁礁ＧＨを使用するときは、結束４ｆを緩くすると、河床ＫＳに固定され易い利点がある。更に、図示していないが、河川側壁ＫＢに人工漁礁Ｇ、ＧＨを敷設しても良い。このときは、いわゆる蛇籠（河川の護岸に用いる円筒形に編んだかごに石を詰めたもの）の役目をなすことになる。
【００８２】
また、図１１により、河川のダムに魚道を人工漁礁により設置したものについて説明する。図示するように、魚道としてダムＤの左側の取水口ＤＳ側に人工漁礁Ｇ１〜Ｇ５を縦方向に並べている。当該人工漁礁Ｇ１〜Ｇ５は、乱型多角材１に魚道用孔１２ａ若しくは切り欠き１３ａを設けたものを使用すると良い。魚類Ｓの遡上を助けることとなる。ところで、図１１では、取水口ＤＳは開いた状態で水が下流へ流されている状態の図である。これは、人工漁礁Ｇ１〜Ｇ５の説明のためであり、取水口ＤＳがいつも開いている訳ではない。図示しないが、取水のときは、取水口ＤＳは適切なる手段で閉じた状態であるのは言うまでもない。なお、図８に示す人工漁礁ＧＨを使用するときは、結束４ｆを堅くしたものを使用すると、当該人工漁礁ＧＨが崩れることもなく、しっかりとダムＤに設置することができる。
【００８３】
また、ダムＤの水流の落下場所には、人工漁礁Ｇ１〜Ｇｎを敷設すると良い。従来はテトラポッドを敷設している例が多いが、前記するように、テトラポッドでは、当該テトラポッドが流されたり、河床が洗われたりするので、図２、図５又は図８の人工漁礁Ｇ、ＧＨを敷設することが良い。また、図８の人工漁礁ＧＨを使用したときには、結束４ｆを緩くすると、河床に固定され易い利点がある。なお、ダムＤの貯水量を調整するために放水口Ｈが設けられている。当然ながら、この放水口Ｈの下側では、河床が洗われ易い。
【００８４】
また、図１１では、河川Ｋの下流側の左側の河川側壁ＫＢに人工漁礁Ｇ６、Ｇ７、Ｇ８を敷設した例を示している。このように、人工漁礁Ｇ、ＧＨを河川側壁ＫＢに敷設すると、いわゆる蛇籠（河川の護岸に用いる円筒形に編んだかごに石を詰めたもの）の役目をなすことになる。
【００８５】
また、図９により、前記人工漁礁を使用した堰堤若しくはダム工法について説明する。図９は、堰堤工法の場合について図示しているが、ダム工法の場合についても同様である。図示するように、堰堤ＤＴの傾斜面に沿って人工漁礁Ｇ１、Ｇ２、Ｇ３、Ｇ４を縦方向に配置して、魚類の遡上する魚道を確保することを特徴とする堰堤工法である。なお、図示する堰堤ＤＴは自然石を利用した石積みの堰堤であるが、当該石積みの堰堤に限定するものではなく、コンクリートブロック製等についても同様である。
【００８６】
ところで、図９の人工漁礁Ｇ１、Ｇ２、Ｇ３、Ｇ４は、図１、図５及び図８のいずれの人工漁礁Ｇ、ＧＨを使用しても良い。また、当該人工漁礁Ｇ、ＧＨに使用する乱型多角材１ａ、１ｂ、・・・、１ｎは、図２又は図７のいずれの乱型多角材１を使用しても良い。しかし、図７の魚道用孔１２ａ又は切り欠き１３ａを設けた乱型多角材１を使用すると、魚道を確保し易い利点がある。
【００８７】
また、図１０により、前記人工漁礁を利用した河川の河床工法について説明する。図示するように、河川Ｋの河底を掘削若しくは浚渫後、当該河底に沿って人工漁礁Ｇ１、Ｇ２、Ｇ３を敷設して、河川の河床としたことを特徴とする河床工法である。図示では、当該人工漁礁Ｇ１、Ｇ２、Ｇ３は、水流に対して横方向に敷設しているが、縦方向に敷設しても良い。また、当該人工漁礁Ｇ１、Ｇ２、Ｇ３は、図１、図５及び図８のいずれの人工漁礁Ｇ、ＧＨを使用しても良い。
【００８８】
なお、通常の河川の河床工法は、河川の河底を掘削若しくは浚渫して、砂利・小石、廃材のコンクリートブロック等を敷き詰めて生コンクリートを流し込んで固めて河床とした河床工法であるか、またはコンクリート製の河床（すなわち、生コンクリートを流し込んで敷き詰めた河床）とした河床工法であるが、それらの河床工法は、その工法に工数及びコストが掛かっている。また、本発明の人工漁礁Ｇ、ＧＨを掘削若しくは浚渫した河底に敷き詰めた河床工法とすれば、河川が洗われない効果もある。また、河川の浄化に対しては、水量が少ないときに、当該河床を曝気（微生物が有機物を分解するのに必要な酸素を供給するために空気を吹き込んだり攪拌したりすること）してやれば浄化されるので問題ない。また、コンクリートによる灰汁も発生せず、水の浄化にも効果があるので魚類Ｓにも良い。
【００８９】
また、図１１により、前記人工漁礁を利用した河川のダムの下流側の水流の落下位置の河床工法について説明する。図示するように、河川ＫのダムＤの下流側の水流の落下位置の河底を掘削若しくは浚渫後、当該河川ＫのダムＤの下流側の水流の落下位置の河底に人工漁礁Ｇ１〜Ｇｎを敷設して、水流の落下位置の河床としたことを特徴とする河床工法である。図示では、当該人工漁礁Ｇ１〜Ｇｎは、水流に対して横方向に敷設しているが、縦方向に敷設しても良い。また、当該人工漁礁Ｇ１〜Ｇｎは、図１、図５及び図８のいずれの人工漁礁Ｇ、ＧＨを使用しても良い。なお、図１１は、ダムＤの水流の落下位置の河床工法について説明したが、堰堤の水流の落下位置の河床工法についても同様である。
【００９０】
なお、通常の河川のダムの下流側の水流の落下位置の河床工法は、河川の河底を掘削若しくは浚渫して、砂利・小石、廃材のコンクリートブロック等を敷き詰めて生コンクリートを流し込んで固めて河床とした河床工法であるか、またはコンクリート製の河床（すなわち、生コンクリートを流し込んで敷き詰めた河床）とした河床工法であるが、それらの河床工法は、その工法に工数及びコストが掛かっている。また、本発明の人工漁礁Ｇ、ＧＨを掘削若しくは浚渫した河底に敷き詰めた河床工法とすれば、河川が洗われない効果もある。また、河川の浄化に対しては、水量が少ないときに、当該河床を曝気してやれば浄化されるので問題ない。また、コンクリートによる灰汁も発生せず、水の浄化にも効果があるので魚類Ｓにも良い。
【００９１】
また、図１１により、前記人工漁礁を利用した河川のダムの取水口工法について説明する。図１１のダムＤの左側に示すように、ダムＤの取水口ＤＳの傾斜面に沿って人工漁礁Ｇ１、Ｇ２、Ｇ３、Ｇ４、Ｇ５を縦方向に設置して、魚類Ｓの遡上する魚道を確保することを特徴とするダムＤの取水口工法である。図示では、取水口ＤＳの傾斜面の上側に人工漁礁Ｇ１、Ｇ２を設置し、下側に人工漁礁Ｇ３、Ｇ４、Ｇ５を設置しているが、この設置に限定するものではない。また、当該人工漁礁Ｇ１〜Ｇ５は、図１、図５及び図８のいずれの人工漁礁Ｇ、ＧＨを使用しても良い。また、当該人工漁礁Ｇ、ＧＨに使用する乱型多角材１ａ、１ｂ、・・・、１ｎは、図２又は図７のいずれの乱型多角材１を使用しても良い。しかし、図７の魚道用孔１２ａ又は切り欠き１３ａを設けた乱型多角材１を使用すると、魚道を確保し易い利点がある。なお、図１１は、ダムＤの取水口工法について説明したが、堰堤の取水口工法についても同様である。
【００９２】
また、図１１により、前記人工漁礁を利用した河川側壁工法について説明する。図１１のダムＤの左側に示すように、ダムＤの河川側壁ＤＳを掘削後、当該河川側壁ＤＳに沿って人工漁礁Ｇ６、Ｇ７、Ｇ８を敷設して、河川の側壁としたことを特徴とする河川側壁工法である。また、当該人工漁礁Ｇ６、Ｇ７、Ｇ８は、図１、図５及び図８のいずれの人工漁礁Ｇ、ＧＨを使用しても良い。なお、当該人工漁礁は、３個に限定するものでは無い。その設置場所により、適宜選択されるものである。
【００９３】
従来、河川側壁工法においては、河川Ｋの河川側壁ＫＳを掘削後、小石・砂利等を敷設し、生コンクリートで埋める等の工法であったが、本発明の河川側壁工法は、河川Ｋの河川側壁ＫＳを掘削後、直ちに人工漁礁Ｇ６、Ｇ７、Ｇ８を敷設する工法である。当該河川側壁工法により、工数及びコストの削減に寄与することができる。また、河川側壁ＫＳに蛇籠（河川の護岸に用いる円筒形に編んだかごに石を詰めたもの）を敷設する工法もあるが、本発明の河川側壁工法は、この蛇籠に替わって人工漁礁Ｇ６、Ｇ７、Ｇ８を使用した工法である。このように、蛇籠に替わって人工漁礁Ｇ６、Ｇ７、Ｇ８を使用することにより、工数及びコストの削減に寄与することができる。
【００９４】
【発明の効果】
本発明は、以上の説明から、以下に記載されるような効果を奏する。
【００９５】
本発明の人工漁礁は、複数の乱型多角材を積重ねて、該複数の乱型多角材にそれぞれ穿設された孔に棒材を挿入して、該棒材の両端を固定部材で固定することによって、人工漁礁としたもので、魚道として使用される用水路、溝、側溝等に適宜な形状となっている。また、河川若しくは海中にも設置することができる。
【００９６】
また、本発明の人工漁礁は、複数の乱型多角材を積重ねて使用することにより、魚類が滞留し易く隠れ場となるように棲家として住み付き易い空間を提供すると共に、用水路等及び河川に魚を呼び寄せることのできる場所をも提供し、しかも乱型多角材に自然石を使用すると環境にも優しいものとなった。
【００９７】
また、本発明の人工漁礁は、複数の乱型多角材を積重ねて、該複数の乱型多角材にそれぞれ穿設された孔に棒材を挿入して、該棒材の両端を固定部材で固定したので、製作も容易である。しかも、該人工漁礁は、全体として凹凸のある円柱体若しくは長方体の形状に近似しているので、施工性の良い形状であり、設置場所への運搬及び設置の施工性の容易なものとなっている。また、棒材に替わって、紐材を使用して結束した場合も同様の効果がある。
【００９８】
また、本発明の人工漁礁は、用水路等の適宜場所に複数個設置することもできるので、魚類の棲家を用水路等全体に与えて、魚類に更に住みよい場所を提供することが出来るようになった。
【００９９】
さらに、本発明による人工漁礁は、乱型多角材に自然石の適宜の比重のものを選択できるので、河川の流れに流されることも無く、一定の場所に定住させることができるので、メンテナンスの必要も少なくなった。
【０１００】
さらに、本発明による人工漁礁は、用水路等に使用したときに、人工漁礁の周りが汚濁したときなど、人工漁礁を引上げて、該用水路等を清掃し、人工漁礁を清掃して、再度設置すると、用水路等の汚濁も無くなり、周囲の環境にも、美感を呈すすものとなった。
【０１０１】
さらに、本発明の人工漁礁は、施工性が良く、工場で組立てができ、水流を穏やかにするものである。また、階段状の漁礁では上がれない魚類もあるが、本発明の人工漁礁は、複数の大中小の乱型多角材を使用しているので、上流への移動も容易になる利点もある。自然石を利用しているので、環境にも優しい。
【０１０２】
また、本発明の人工漁礁は、複数の乱型多角材の適宜の個数若しくは全てに魚道用孔若しくは切り欠きを設けたことにより、魚道をより有効に確保することができたので、魚類が河川に設置された堰堤・ダムを遡上できるようになった。
【０１０３】
また、本発明の人工漁礁は、河川の河床としても使用でき、特にダム・堰堤の下流側、すなわちダム・堰堤の水流の落下位置の河床としても有効に使用できるものとなった。従って、自然石を使用したときには、環境にも良い河床を提供することができるようになった。
【０１０４】
また、本発明の人工漁礁を使用して、堰堤若しくはダムに魚道を確保する堰堤・ダム工法、河川の河床に敷設する河床工法、堰堤・ダムの取水口工法及び河川側壁工法を提供することができるようになった。このように、本発明の人工漁礁は、種々の使用方法を提供できる。
【０１０５】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【図面の簡単な説明】
【図１】図１は、本発明による人工漁礁の斜視図である。
【図２】図２は、本発明による人工漁礁に用いられる乱型多角材の斜視図である。
【図３】図３は、本発明による人工漁礁を用水路に使用したときの実施例を説明する斜視図である。
【図４】図４は、本発明による複数の人工漁礁を用水路に使用したときの実施例を説明する斜視図である。
【図５】図５は、他の実施例の人工漁礁である。
【図６】図６は、人工漁礁に使用される他の実施例における棒材と鍔付きボルトを説明する斜視図である。
【図７】図７は、本発明による人工漁礁に用いられる乱型多角材の他の実施例の斜視図である。
【図８】図８は、第三の実施例の人工漁礁である。
【図９】図９は、本発明による人工漁礁を堰堤及び堰堤の下流の河床に使用したときの概略図である。
【図１０】図１０は、本発明による人工漁礁を河川の河床に使用したときの概略図である。
【図１１】図１１は、本発明による人工漁礁をダムの魚道及びダムの下流の河床に使用したときの概略図である。
【符号の説明】
Ｇ、Ｇ１、Ｇ２、Ｇ３、Ｇ４、Ｇ５、Ｇ６、Ｇ７、Ｇ８、・・・、Ｇｎ、ＧＨ　人工漁礁
Ｓ　魚類
Ｙ　用水路
Ｙａ　溝底　　　Ｙｂ　砂利　　　Ｙｃ　小石
Ｄ１　鍔付きボルトの鍔径
Ｄ２　棒材の軸径
Ｄ　ダム　　　ＤＴ　堰堤　　　ＤＳ　取水口　　　Ｈ　放水口
Ｋ　河川　　　ＫＳ　河床　　　ＫＢ　河川側壁　　　ＫＷ　木
ＫＧ　草
１、１ａ、１ｂ、１ｃ、・・・、１ｎ　乱型多角材
１１ａ、１１ｂ、１ａ１、１ａ２、・・・、１ｎ１、１ｎ２　孔
１１ｃ　表面
１１ｄ　裏面
１１ｅ　側面
１２ａ　魚道用孔
１３ａ　切り欠き
２ａ、２ｂ、２ａ１　棒材
３ａ、３ｂ　固定部材
４ａ、４ｂ、４ｅ　紐材
４ｃ、４ｄ、４ｆ　結束
３ａ１　鍔付きボルト
５ａ、５ｂ、５ｃ、・・・、５ｍ　空間
【図１】
2004089001.tif 000003
【図２】
2004089001.tif 000004
【図３】
2004089001.tif 000005
【図４】
2004089001.tif 000006
【図５】
2004089001.tif 000007
【図６】
2004089001.tif 000008
【図７】
2004089001.tif 000009
【図８】
2004089001.tif 000010
【図９】
2004089001.tif 000011
【図１０】
2004089001.tif 000012
【図１１】
2004089001.tif 000013